(57)【要約】      （修正有）【課題】人体工学に符合し使用者に快適な使用感を提供する椅子の背もたれクッション装置の提供。【解決手段】クッションカバー１０とメインクッション２０を具え、クッションカバーにメインクッションを収容するメインカバー１１と、背もたれクッション装置を椅子の背もたれに取り付ける固定部が設けられた椅子の背もたれクッション装置において、メインクッションが一体成形の低反発記憶綿で構成され、その外側面上端の人体頸部に対応する位置に第１円弧凸部２１が設けられ、人体背部に対応する位置に円弧凹部２２が設けられ、人体腰部に対応する位置に第２円弧凸部２３が設けられ、且つ該第２円弧凸部の突出高度が第１円弧凸部より大きく、第１円弧凸部、円弧凹部、第２円弧凸部により人体工学に符合する背もたれクッション装置が構成されている。【選択図】図１
0003103630.tif 000002
【実用新案登録請求の範囲】
【請求項１】
クッションカバーとメインクッションを具え、クッションカバーにメインクッションを収容するメインカバーと、背もたれクッション装置を椅子の背もたれに取り付ける固定部が設けられた椅子の背もたれクッション装置において、
メインクッションが一体成形の低反発記憶綿で形成され、その外側面上端の人体頸部に対応する位置に第１円弧凸部が設けられ、人体背部に対応する位置に円弧凹部が設けられ、人体腰部に対応する位置に第２円弧凸部が設けられ、且つ該第２円弧凸部の突出高度が第１円弧凸部より大きく、第１円弧凸部、円弧凹部、第２円弧凸部により人体工学に符合する背もたれクッション装置とされたことを特徴とする、椅子の背もたれクッション装置。
【請求項２】
請求項１記載の椅子の背もたれクッション装置において、クッションカバーの両側に翼部が設置され、該翼部内に翼部クッションが設置され、且つ該翼部クッションが低反発記憶綿で形成されたことを特徴とする、椅子の背もたれクッション装置。
【請求項３】
請求項２記載の椅子の背もたれクッション装置において、クッションカバーの両側の翼部がクッションカバーのメインカバー両側にあって折り畳み可能とされたことを特徴とする、椅子の背もたれクッション装置。
【請求項４】
請求項１記載の椅子の背もたれクッション装置において、固定部が布で形成されたカバーとされ、該カバーに嵌め口が形成されて、該カバーにより背もたれクッション装置が椅子に固定されることを特徴とする、椅子の背もたれクッション装置。
【請求項５】
請求項１記載の椅子の背もたれクッション装置において、固定部が止め合わせバンドとされたことを特徴とする、椅子の背もたれクッション装置。
【請求項６】
請求項１記載の椅子の背もたれクッション装置において、背もたれクッション装置に椅子に組み合わされるシートクッションとヘッドクッションが更に組み合わされたことを特徴とする、椅子の背もたれクッション装置。
【請求項７】
請求項６記載の椅子の背もたれクッション装置において、シートクッションとヘッドクッション内に低反発記憶綿が設けられ、該シートクッションが椅子のシート部に設置され、ヘッドクッションが椅子のヘッドレストに設置されることを特徴とする、椅子の背もたれクッション装置。
【請求項８】
請求項６記載の椅子の背もたれクッション装置において、シートクッションとヘッドクッションに粘着帯が設けられたことを特徴とする、椅子の背もたれクッション装置。
【請求項９】
請求項６記載の椅子の背もたれクッション装置において、シートクッションとヘッドクッションに止め合わせバンドが設けられたことを特徴とする、椅子の背もたれクッション装置。
【考案の詳細な説明】
【技術分野】
【０００１】
本考案は椅子の背もたれクッション装置に係り、特に使用者が快適に靠れることができる椅子の背もたれクッション装置に関するものである。
【背景技術】
【０００２】
一般に自動車の椅子、特にドライバーシートは、人体に対する支持作用を強化するため、人体との間に多くの被覆面積を有し、且つ全体の椅子構造は、フレームを主要な支持構造とするほか、フレームに弾性発泡材料で形成された弾性クッションが設けられ、使用者が座る時の快適性を増し、並びに全体の椅子の外層がカバーで被覆されて、全体の椅子の構造がさらに一体性を有し美観を有するものとされている。
【０００３】
これにより、使用者が椅子に座る時、弾性クッションの弾性係数の違いにより、座った時に快適でない状況を形成しやすい。さらに、使用者によっては、常に身体を後ろに傾斜させるため、その腰部と椅子の間に空間が形成され、長時間座ると腰痛を生じたり、さらには座る姿勢が良くないために脊椎側弯の現象を発生することがある。
【考案の開示】
【考案が解決しようとする課題】
【０００４】
本考案は、一種の椅子の背もたれクッション装置を提供する。本考案は、クッションカバーとメインクッションを具え、該クッションカバーにメインカバーと固定部が設けられ、該メインクッションは低反発の記憶綿で形成されてメインカバー内に嵌合された椅子の背もたれクッション装置において、メインクッションが一体成形の低反発記憶綿で構成され、その外側面上端の人体頸部に対応する位置に第１円弧凸部が設けられ、人体背部に対応する位置に円弧凹部が設けられ、人体腰部に対応する位置に第２円弧凸部が設けられ、人体工学に符合するよう形成されたことを特徴とする、椅子の背もたれクッション装置である。
【０００５】
本考案の目的は、上から下に第１円弧凸部、円弧凹部、第２円弧凸部を順に配置し、使用者が椅子に座る時に、頸部、背部及び腰部を完全に背もたれクッション装置に当接させられ、これにより使用者を快適に靠れさせることができる椅子の背もたれクッション装置を提供することにある。
【０００６】
本考案の別の目的は、メインクッションを低反発記憶綿で形成し、それ自身が振動防止、低反発性、通気性及び百パーセントの自動回復の機能を有するようにするほか、外在因子により形成される内圧力を軽減する機能を有するものとし、使用者の使用上、更に快適とした椅子の背もたれクッション装置を提供することにある。
【０００７】
本考案のさらに別の目的は、メインカバーの両側に翼部を設け、二つの翼部内にそれぞれ翼部クッションを設置し、該翼部クッションを低反発記憶綿で形成し、且つ翼部を椅子のサイズに応じて折り畳み或いは展開できるようにし、メインカバーを完全に椅子に保持させられるようにすることにある。
【０００８】
本考案のさらにまた別の目的は、背もたれクッション装置にシートクッションとヘッドクッションを組み合わせて使用できるものとし、シートクッションとヘッドクッション内部に低反発クッションを収容し、使用者が椅子上で完全に身体を靠れさせることができるようにすることにある。
【課題を解決するための手段】
【０００９】
請求項１の考案は、クッションカバーとメインクッションを具え、クッションカバーにメインクッションを収容するメインカバーと、背もたれクッション装置を椅子の背もたれに取り付ける固定部が設けられた椅子の背もたれクッション装置において、
メインクッションが一体成形の低反発記憶綿で形成され、その外側面上端の人体頸部に対応する位置に第１円弧凸部が設けられ、人体背部に対応する位置に円弧凹部が設けられ、人体腰部に対応する位置に第２円弧凸部が設けられ、且つ該第２円弧凸部の突出高度が第１円弧凸部より大きく、第１円弧凸部、円弧凹部、第２円弧凸部により人体工学に符合する背もたれクッション装置とされたことを特徴とする、椅子の背もたれクッション装置としている。
請求項２の考案は、請求項１記載の椅子の背もたれクッション装置において、クッションカバーの両側に翼部が設置され、該翼部内に翼部クッションが設置され、且つ該翼部クッションが低反発記憶綿で形成されたことを特徴とする、椅子の背もたれクッション装置としている。
請求項３の考案は、請求項２記載の椅子の背もたれクッション装置において、クッションカバーの両側の翼部がクッションカバーのメインカバー両側にあって折り畳み可能とされたことを特徴とする、椅子の背もたれクッション装置としている。
請求項４の考案は、請求項１記載の椅子の背もたれクッション装置において、固定部が布で形成されたカバーとされ、該カバーに嵌め口が形成されて、該カバーにより背もたれクッション装置が椅子に固定されることを特徴とする、椅子の背もたれクッション装置としている。
請求項５の考案は、請求項１記載の椅子の背もたれクッション装置において、固定部が止め合わせバンドとされたことを特徴とする、椅子の背もたれクッション装置としている。
請求項６の考案は、請求項１記載の椅子の背もたれクッション装置において、背もたれクッション装置に椅子に組み合わされるシートクッションとヘッドクッションが更に組み合わされたことを特徴とする、椅子の背もたれクッション装置としている。
請求項７の考案は、請求項６記載の椅子の背もたれクッション装置において、シートクッションとヘッドクッション内に低反発記憶綿が設けられ、該シートクッションが椅子のシート部に設置され、ヘッドクッションが椅子のヘッドレストに設置されることを特徴とする、椅子の背もたれクッション装置としている。
請求項８の考案は、請求項６記載の椅子の背もたれクッション装置において、シートクッションとヘッドクッションに粘着帯が設けられたことを特徴とする、椅子の背もたれクッション装置としている。
請求項９の考案は、請求項６記載の椅子の背もたれクッション装置において、シートクッションとヘッドクッションに止め合わせバンドが設けられたことを特徴とする、椅子の背もたれクッション装置としている。
【考案の効果】
【００１０】
本考案によると、背もたれクッション装置は、クッションカバーとメインクッションを具え、クッションカバーにメインクッションを収容するメインカバーと、背もたれクッション装置を椅子の背もたれに取り付ける固定部が設けられた椅子の背もたれクッション装置において、メインクッションが一体成形の低反発記憶綿で構成され、その外側面上端の人体頸部に対応する位置に第１円弧凸部が設けられ、人体背部に対応する位置に円弧凹部が設けられ、人体腰部に対応する位置に第２円弧凸部が設けられ、且つ該第２円弧凸部の突出高度が第１円弧凸部より大きく、第１円弧凸部、円弧凹部、第２円弧凸部により人体工学に符合し、快適に背中を靠れ掛けさせられる効果を提供する。
【考案を実施するための最良の形態】
【００１１】
本考案の椅子の背もたれクッション装置は、図１から図３に示されるように、背もたれクッション装置１が、クッションカバー１０とメインクッション２０を具えている。
【００１２】
該クッションカバー１０は、メインカバー１１と固定部１２を具え、且つ該クッションカバー１０のメインカバー１１位置に開口端があり、該開口端にスライドファスナー１３が設けられ、スライドファスナー１３により開口端が開閉可能とされ、該固定部１２はクッションカバー１０を椅子３０に設置するのに供される。
【００１３】
メインクッション２０は、低反発記憶綿で形成され、並びにメインカバー１１内に設置され、該メインクッション２０の外側面上端の人体頸部に対応する位置に第１円弧凸部２１が設けられ、人体背部に対応する位置に円弧凹部２２が設けられ、人体腰部に対応する位置に第２円弧凸部２３が設けられ、且つ第２円弧凸部２３の突出高度は第１円弧凸部２１より大きく、これにより人体工学に符合するメインクッション２０が構成されている。
【００１４】
これにより固定部１２を利用して全体の背もたれクッション装置１が椅子３０の背もたれ３２に設置され、人体工学に符合するメインクッション２０により、使用者が座る時、頸部、背部及び腰部が完全に第１円弧凸部２１、円弧凹部２２、第２円弧凸部２３に当接し、並びに低反発記憶綿で構成されたメインクッション２０自身の防振性、低反発性、通気性及び百パーセントの回復性、及び外在因子により形成される内圧力を軽減する特性により、使用者に快適さを提供する。
【００１５】
図１から図４に示されるように、本考案中、クッションカバー１０の両側に翼部１４が設けられ、二つの翼部１４内にそれぞれ翼部クッション４０が設けられ、該翼部クッション４０は低反発記憶綿で形成され、且つ該翼部１４がクッションカバー１０上で折り畳み及び展開できるものとされ、これにより全体の背もたれクッション装置１が椅子３０の大きさに応じて調整可能とされ、メインカバー１１が完全に椅子３０に設置され、使用者が快適に靠れ掛かれるものとされている。
【００１６】
該固定部１２は嵌合の方式で背もたれクッション装置１を椅子３０に取り付ける。図２及び図３に示されるように、固定部１２は軟質の布で形成されたカバーとされ、それに嵌め口１５が設けられ、これにより固定部１２に椅子３０のヘッドレスト３１を通して、背もたれクッション装置１を椅子３０に取り付けることができる。また止め合わせバンド１６を利用し、背もたれクッション装置１を椅子３０に固定することもでき、これにより背もたれクッション装置１を椅子３０より滑り落ちたり脱落する現象を発生させない。
【００１７】
また図５に示されるように、背もたれクッション装置１に更に椅子３０上でシートクッション５０とヘッドクッション６０を組み合わせることができる。図２も参照されたいが、該シートクッション５０とヘッドクッション６０内部にも低反発記憶綿が設けられ、シートクッション５０は椅子３０のシート部３３の上に設置され、シートクッション５０底部に粘着帯５１が設けられ、粘着帯５１によりシート部３３に取り付けられる。該ヘッドクッション６０は椅子３０のヘッドレスト３１に取り付けられ、且つヘッドクッション６０にも止め合わせバンド６１が設けられ、ヘッドクッション６０は該止め合わせバンド６１によりヘッドレスト３１に取り付けられる。使用者が椅子３０に座る時、背もたれクッション装置１、シートクッション５０、及びヘッドクッション６０により、快適に座り、背中を靠れ掛けさせられる効果を得られる。
【００１８】
このほか、背もたれクッション装置１とヘッドクッション６０は止め合わせバンド１６、６１で椅子６０に取り付けられるほか、粘着帯を利用して椅子３０に取り付けることもできる。また、シートクッション５０も止め合わせバンドを利用して椅子３０のシート部３３に取り付けることができる。
【図面の簡単な説明】
【００１９】
【図１】本考案の分解図である。
【図２】本考案を椅子に設置した状態の側面図である。
【図３】本考案を背面図である。
【図４】本考案の折り畳み後の表示図である。
【図５】本考案の別の参考実施例図である。
【符号の説明】
【００２０】
１０  クッションカバー                    １１  メインカバー
１２  固定部                              １３  スライドファスナー
１４  翼部                                １５  嵌め口
１６  止め合わせバンド
２０  メインクッション                    ２１  第１円弧凸部
２２  円弧凹部                            ２３  第２円弧凸部
３０  椅子                                ３２  背もたれ
３３  シート部                            ３１  ヘッドレスト
４０  翼部クッション                      ５０  シートクッション
５１  粘着帯                              ６１  止め合わせバンド
【図１】
0003103630.tif 000003
【図２】
0003103630.tif 000004
【図３】
0003103630.tif 000005
【図４】
0003103630.tif 000006
【図５】
0003103630.tif 000007